(57)【要約】【課題】灯体および腕部により直線状態および屈曲状態を選択することができるとともに、良好な外観性を得ることができる照明装置を提供する。【解決手段】光源１１を収容した灯体１２内部の連結部１４が、連結軸１５を介して腕部１３の係合部１６によって上下方向に回動可能に支持され、かつ、腕部１３の取付部１８が回動可能に支持されている。これにより、任意の方向を照射することができる。ここで、灯体１２を回動可能に支持する腕部１３の係合部１６が、灯体１２の内部において腕部１３の軸線ＣＬ１から所定距離Ｌ離れた側方に設けられているので、灯体１２の側面（周面）に切欠きを設けることなく、灯体１２の回動に伴って腕部１３が灯体１２の底部１２ａを貫通して出没する切欠き１２ｂを小さくすることができる。これにより、良好な外観性を得ることができる。【選択図】図１
2008004529.tif 000002
【特許請求の範囲】
【請求項１】
光源を収容する有底容器状の灯体と、
前記灯体内に設けられた連結部と、
前記連結部に係合部を介して連結されるとともに前記灯体の外方に突出し、かつ、端部に取付部が設けられた略直線状の腕部とを備え、
前記灯体の軸線方向に対して直交する連結軸を介して前記連結部および前記係合部が連結されていることにより前記灯体および前記腕部が相対的に回動可能な照明装置であって、
前記係合部が前記腕部の軸線から所定寸法離れた側方に設けられている照明装置。
【請求項２】
前記係合部は前記灯体の軸線から所定寸法離れた側方に設けられ、
前記灯体の軸線と、前記腕部の軸線とが同一線に沿って配置可能である請求項１に記載の照明装置。
【請求項３】
前記灯体は略円筒状で、その底面に前記灯体の軸線を含む切欠きが設けられて前記腕部が前記灯体内に導入される請求項２に記載の照明装置。
【請求項４】
前記灯体は方形の底面に前記腕部が前記灯体内に導入される切欠きが設けられ、前記切欠きが前記底面の一周縁に対し略直交方向に形成されている請求項２に記載の照明装置。
【発明の詳細な説明】
【技術分野】
【０００１】
本発明は照明装置に係り、例えば任意の方向を照射できる照明装置に関するものである。
【背景技術】
【０００２】
図９には、従来より用いられている任意の方向を照射することができる照明装置１００が示されている。この照明装置１００では、光源１０１を収容する有底筒状の灯体１０２と、灯体１０２内に設けられた連結部１０３と、連結部１０３に係合部１０４を介して連結されるとともに、灯体１０２の外方に突出し、かつ、端部に取付部１０５が設けられている略直線状の腕部１０６とを備えている。取付部１０５は例えば建物室内の天井面等に取り付けられ、回転支持部１０５ａによって、腕部１０６が回転可能に垂下される。また、灯体１０２の連結部１０３と腕部１０６の係合部１０４とは、灯体１０２の軸線方向（ＣＬ２）に直交する方向に設けられている連結軸１０７を介して回動可能に連結されている。
すなわち、灯体１０２は、連結軸１０７を中心として上下方向に回動可能であり、かつ、腕部１０６の回転によって腕部１０６の軸ＣＬ１を中心として回転可能に取り付けられている。
【０００３】
従って、この照明装置１００では、腕部１０６の軸線ＣＬ１に対して灯体１０２の軸線ＣＬ２を平行として略垂直下方に照明する直線状態と、腕部１０６の軸線ＣＬ１に対して灯体１０２の軸線ＣＬ２が所定の角度で交差させることにより斜め下方から略水平側方を照射する屈曲状態（図９に表示の状態）とが生じる。
このような照明装置１００では、屈曲状態において腕部１０６と灯体１０２との干渉を防止するため、灯体１０２の一部に腕部１０６を収容する切欠きが設けられている（例えば特許文献１参照）。
【特許文献１】特開２００１−１７６３２２号公報
【発明の開示】
【発明が解決しようとする課題】
【０００４】
ところで、従来の照明装置１００は、切欠きが灯体１０２の側面にも設けられているため、直線状態において切欠きが露呈し、外観が損なわれるという不都合があった。
なお、このような不都合を回避するために、灯体１０２の側面に連結部を設けた照明装置が広く知られているが、この場合には、腕部１０６が灯体１０２の中心に位置しないため、直線状態において対称性が得られず、外観が損なわれるという不都合があった。
【０００５】
本発明は、前述した問題点に鑑みてなされたものであり、その目的は、灯体および腕部により直線状態および屈曲状態を選択することができるとともに、良好な外観性を得ることができる照明装置を提供することである。
【課題を解決するための手段】
【０００６】
前述した目的を達成するために、本発明の照明装置は、光源を収容する有底容器状の灯体と、前記灯体内に設けられた連結部と、前記連結部に係合部を介して連結されるとともに前記灯体の外方に突出し、かつ、端部に取付部が設けられた略直線状の腕部とを備え、前記灯体の軸線方向に対して直交する連結軸を介して前記連結部および前記係合部が連結されていることにより前記灯体および前記腕部が相対的に回動可能な照明装置であって、前記係合部が前記腕部の軸線から所定寸法離れた側方に設けられているものである。
【０００７】
このように構成された照明装置においては、光源を収容した有底容器状の灯体内部の連結部が、連結軸を介して腕部の係合部によって上下方向に回動可能に支持され、かつ、腕部の取付部が回動可能に支持されている。これにより、任意の方向を照射することができる。
ここで、灯体を回動可能に支持する腕部の係合部が、灯体の内部において腕部の軸線から所定距離離れた側方に設けられているので、灯体の側面（周面）に切欠きを設けることなく、灯体の回動に伴って腕部が灯体の底部を貫通して出没する切欠きを小さくすることができる。これにより、良好な外観性を得ることができる。
なお、所定距離とは、灯体が垂直位置から水平位置まで９０度回動する間に、腕部が灯体の底部のみを貫通するように設定可能な距離を言う。
【０００８】
また、本発明の照明装置は、上記本発明の第１の特徴において、前記係合部は前記灯体の軸線から所定寸法離れた側方に設けられ、前記灯体の軸線と、前記腕部の軸線とが同一線に沿って配置可能であるものである。
【０００９】
このように構成された照明装置においては、灯体の軸線と腕部の軸線を同一線上、すなわち灯体の中央に配置することができるので、灯体を腕部から真っ直ぐに伸ばした直線状
態における外観性を向上させることができる。
【００１０】
さらに、本発明の照明装置は、上記本発明の第２の特徴において、前記灯体は略円筒状で、その底面に前記灯体の軸線を含む切欠きが設けられて前記腕部が前記灯体内に導入されるものである。
【００１１】
このように構成された照明装置においては、灯体の軸線を含む底面に設けられた切欠きから灯体内に腕部が導入されるため、灯体の軸線回りに方向性のない、外観の良好なものにできる。
【００１２】
また、本発明の照明装置は、上記本発明の第２の特徴において、前記灯体は方形の底面に前記腕部が前記灯体内に導入される切欠きが設けられ、前記切欠きが前記底面の一周縁に対し略直交方向に形成されているものである。
【００１３】
このように構成された照明装置においては、灯体の底面の一周縁に対し略直交方向に形成されている切欠きから腕部が灯体内に導入されるため、直線状態および屈曲状態の両者が可能であって、腕部の長さを短くできる。
【発明の効果】
【００１４】
本発明によれば、灯体を回動可能に支持する腕部の係合部が、灯体の内部において腕部の軸線から所定距離離れた側方に設けられているので、従来のように、灯体の側面に切欠きを設ける必要がなく、良好な外観性を得ることができるという効果が得られる。
【発明を実施するための最良の形態】
【００１５】
以下、本発明に係る実施形態を図面に基づいて詳細に説明する。
図１（Ａ）は本発明の第１実施形態に係る照明装置を灯体を断面して示す側面図、図１（Ｂ）は同じく平面図、図２は灯体と腕部との取付構造における連結部を示す平面図、図３は灯体と腕部との取付構造における係合部を示す側面図である。
【００１６】
図１に示すように、本発明の第１実施形態である照明装置１０Ａは、一端が開口（１２ｄ）され、光源であるランプ１１を収容する有底円筒状の灯体１２を有している。灯体１２内部の途中位置には、底部１２ａと平行な取付板１２ｃが取り付けられておりこの取付板１２ｃの開口側中央には光源１１を取り付けて電力を供給するソケット１７が取り付けられている。従って、ランプ１１は、灯体１２の開口１２ｄから挿入してソケット１７にねじ込むことにより取り付けることができる。
なお、灯体１２の開口１２ｄに、透明なカバーを取り付けることも可能である。
【００１７】
灯体１２には、端部を除いて略直線状の腕部１３が回動可能に取り付けられている。灯
体１２の底部１２ａには腕部１３を外方へ突出させるための切欠き１２ｂが設けられており、底部１２ａの内面には、切欠き１２ｂを跨いで連結部が設けられている。連結部は、例えば図２に示すように、全体Ｌ字状をした一対の連結板１４、１４を有しており、ベース１４ａがネジ１４ｂによって灯体１２の底部１２ａに取り付けられている。そして、一対の連結板１４、１４間には、連結軸１５が設けられている。
なお、一対の連結板１４、１４および連結軸１５は予め一体的に形成されていて、連結板１４のベース１４ａを灯体１２の底部１２ａに取り付けるようにすることができる。
【００１８】
腕部１３の一端（図１（Ａ）の実線において下端）は、略直角に屈曲されており、その先端には、腕部１３を連結軸１５に取り付けるための係合部が設けられている。
係合部は、図３に示すように、例えば、腕部１３の先端に取り付けられた一対の取付板１６、１６を有しており、取付板１６は、一端に設けられた円形断面の腕部１３に対応して部分円弧状の固定部１６ａと、連結軸１５を把持するための略半円形状の把持部１６ｂと、他端に設けられた締結部１６ｃとを有している。そして、締結部１６ｃを締め付けて連結軸１５に回動可能に把持するためのボルト・ナット１６ｄを有している。
【００１９】
すなわち、腕部１３は、取付板１６によって連結軸１５を回動可能に把持することにより、灯体１２に回動可能に取り付けられることになる。このため、係合部である取付板１６は、腕部１３の軸線ＣＬ１から所定寸法離れた側方に設けられることになる。
なお、腕部１３の回動における抵抗は、ボルト・ナット１６ｄの締付力により調整できる。
【００２０】
また、腕部１３の他端（図１（Ａ）の実線において上端）には、例えば取付面である天井面に設けられている配線ダクト（図示省略）に沿って移動可能な取付部であるプラグ１８が取り付けられており、このプラグ１８は回転支持部１９を介して腕部１３をその軸線ＣＬ１回りに回転可能に支持している。
【００２１】
以上、説明した第１実施形態に係る照明装置１０Ａによれば、ランプ１１を収容した灯体１２内部の連結板１４が、連結軸１５を介して腕部１３の取付板１６によって上下方向（図１（Ａ）における矢印参照）に回動可能に支持され、かつ、腕部１３はプラグ１８によって腕部１３の軸線ＣＬ１回りに回動可能に支持されている。これにより、任意の方向を照射することができる。また、灯体１２を回動可能に支持する腕部１３の取付板１６が、灯体１２の内部において腕部１３の軸線ＣＬ１から所定距離Ｌ離れた側方に設けられているので、灯体１２の側面（周面）に切欠きを設けることなく、底部１２ａに設けた切欠き１２ｂのみにより灯体１２の回動を可能とすることができる。これにより、灯体１２の軸線ＣＬ２回りに方向性のない、良好な外観性を得ることができる。
なお、所定距離Ｌとは、腕部１３を灯体１２の軸線ＣＬ２方向に真っ直ぐ伸ばした垂直位置（図１（Ａ）において２点鎖線で表示）から、腕部１３を９０度回動させた水平位置（図１（Ａ）において実線で表示）まで回動する間に、灯体１２の側面に干渉することなく、腕部１３が灯体１２の底部１２ｂの切欠き１２ｂのみを貫通することができる距離を言い、灯体１２の軸線ＣＬ２との距離である。
【００２２】
次に、本発明の照明装置の第２実施形態について説明する。
図４（Ａ）は本発明の第２実施形態に係る照明装置を灯体を断面して示す側面図、図４（Ｂ）は同じく平面図である。なお、第１実施形態において前述した部位と共通する部位には同じ符号を付して、重複する説明を省略することとする。
【００２３】
図４（Ａ）に示すように、第２実施形態に係る照明装置１０Ｂでは、腕部１３の下端における曲げ角度θが、直角よりも小さくなっている。例えば、図４（Ａ）においては、θ＝４５度である。
このように、曲げ角度θを小さくすることにより、前述した第１実施形態に係る照明装置１０Ａの効果に加えて、灯体１２内部において腕部１３が回動する範囲を底部１２ａの近傍に制限することができるので、灯体１２内の空間の有効利用を図ることができる。
なお、曲げ角度θを小さくすることに伴って、灯体１２の底部１２ａのみに設けられる切欠き１２ｂの大きさが大きくなるので、曲げ角度θを小さくするのに限度がある。
【００２４】
次に、本発明の照明装置の第３実施形態について説明する。
図５（Ａ）は本発明の第１実施形態に係る照明装置を示す側面図、図５（Ｂ）は平面図である。なお、第１および第２実施形態において前述した部位と共通する部位には同じ符号を付して、重複する説明を省略することとする。
【００２５】
図５（Ａ）に示すように、第３実施形態に係る照明装置１０Ｃでは、腕部１３の下端部が、回動中心である連結軸１５の中心から直線的に伸びる長さＬの直線部１３ａと、直線部の先端から直角方向に曲げた後、半径Ｌで９０度屈曲して反対方向に折り返した円弧部１３ｂを有する曲げ形状となっている。
このように、腕部１３の端部を曲げることにより、前述した第１実施形態に係る照明装置１０Ａの効果に加えて、底部１２ａに形成される切欠き１２ｂを略腕部１３の外径近くまで縮小することができるので、外観を改善することができる。
【００２６】
次に、本発明の照明装置の第４実施形態について説明する。
図６（Ａ）は本発明の第４実施形態にかかる照明装置を示す断面図、図６（Ｂ）は図６（Ａ）中Ｂ方向から見た連結部の斜視図、図７（Ａ）〜（Ｅ）は照明装置の外観を示す正面図等、図８（Ａ）は灯体内部を示す正面図、図８（Ｂ）は同じく側面図である。なお、第１〜第３実施形態において前述した部位と共通する部位には同じ符号を付して、重複する説明を省略することとする。
【００２７】
図６〜図８に示すように、第４実施形態にかかる照明装置１０Ｄは、有壁凹部２５を有するトレー状の灯体１２Ｄを有している。すなわち、この灯体１２Ｄは、正方形平板状の底板２１と、この底板２１の４辺の外周に嵌着可能な耐熱性に優れた例えばＰＢＴ樹脂製の壁板２３とを有しており、壁板２３の内側に凹部２５を形成している。なお、壁板２３の上端に形成される照射面には、ランプイメージ(輝度バランス)を均一にする為の光拡散姓を有する例えばアクリル製の乳白色等の樹脂パネル２４を設けて、壁板２３と樹脂パネル２４とでカバー２２を構成するのが望ましい。
【００２８】
底板２１は正方形平面状をしており、中央部には図７（Ｃ）に示すように、矩形状の切欠き２６が設けられている。腕部１３の灯体１２Ｄへの取付装置は、図６（Ｂ）に示すように、その周囲に矩形状の枠が設けられており、そのうちの一辺には連結軸１５が連結部である軸受け２７によって回動可能に支持されており、連結軸１５には例えばアルミダイカスト製のパイプ状の腕部１３が一体的に取付けられている。軸受け２７には、連結軸１５と軸受け２７との間の回動力を調整するための調整ネジ２７ａが設けられており、切欠き２６を通して外部から視認するとともに、ドライバーを用いて調整可能となっている。
【００２９】
腕部１３の先端には、飾りナット２８を介して回転支持部１９が取付けられており、回転支持部１９の先端にはプラグ１８が取付けられている。回転支持部１９には、プラグ１８の抜け止め用(回転防止用)のロックが設けられており、配線ダクト（図示省略）から外す際は、回転支持部１９の外周面に設けられているロック解除用釦１９ａを引き下げる操作が必要となる。
【００３０】
図６（Ａ）に示すように、底板２１の内面上部には、点灯装置（電子安定器）２９が取付けられており、点灯装置２９の下方には光源であるスパイラル蛍光灯３１が取付けられている。従って、スパイラル蛍光灯３１は、その中心が灯体１２Ｄの中心よりも下方に位置している。前述したカバー２２は、点灯装置２９の上面に設けられている取付部２９ａにネジ３２によって着脱可能に取付けられている。
【００３１】
図８（Ａ）に示すように、スパイラル蛍光灯３１は、１本の真っ直ぐな円管の中心を中心として全体を螺旋状に形成したものであり、両端の口金を底板２１に取付けられたソケット３５、３５に装着可能とされている。ソケット３５は、できるだけスパイラル蛍光灯３１の中心から離して、高温となるのを防止するのが望ましい。また、点灯装置２９からの配線をできるだけ短くするような位置に配置するのが望ましい。
【００３２】
スパイラル蛍光灯３１は、図６（Ａ）に示すように、灯体１２Ｄの底板２１の内面に取付けられている反射板である取付板３３に取付けられている。取付板３３は底板２１に取付けられており、これによってスパイラル蛍光灯３１の前面３１ａと点灯装置２９の前面２９ｂとが略同一面上に位置するようにしている。これにより、点灯装置２９によって影となる範囲を少なくしている。また、取付板３３の下辺にはバネ部材３５が設けられていて、カバー２２を底板２１に嵌着した際に、ネジ３２と共にがたつきなく取付けられるようにされている。
【００３３】
図６（Ａ）に示すように、正方形状の灯体１２Ｄの軸線ＣＬ２と腕部１３の軸線ＣＬ１は、腕部１３の下端側を灯体１２Ｄ内部に収容した状態で完全に一致する。点灯装置２９は、灯体１２Ｄ内部の下部あるいは側部に配置することも可能であるが、上部に配置することにより、プラグ１８から腕部１３の管内に挿通された電線を点灯装置２９に接続する際に、電線の長さを最短にすることが可能になる。これにより、灯体１２Ｄ内に点灯装置２９を内蔵させた状態で、灯体１２Ｄをコンパクト化することができる。
【００３４】
点灯装置２９は重量物であり、プラグ１８を介して壁や天井に設けられている配線ダクト（図示省略）に照明装置１０Ｄを取付けるため、点灯装置２９の配置によって、配線ダクトに生じるモーメントの大きさが変わってくる。従って、点灯装置２９は、できるだけプラグ１８の位置に近い方がモーメントを小さくできるため、望ましい。
【００３５】
すなわち、図６（Ａ）に示すように、照明器具１０Ｄを天井から吊下げて、照射面を垂直にした場合、点灯装置２９の重量によるモーメントの大きさは、距離Ｌ１に比例する。この距離Ｌ１は、点灯装置２９を灯体１２Ｄの底板２１のどこに配置しても違いはない。一方、壁に取付けて、照射面を水平とした場合には、点灯装置２９の重量によるモーメントの大きさは、距離Ｌ２に比例する。この距離Ｌ２を最も小さくするには、点灯装置２９を灯体１２Ｄ内の上部に配置するのが効果的である。
【００３６】
なお、点灯装置２９を灯体１２Ｄ内の側部に配置すると、天井に取付けた場合および壁に取り付けた場合に、腕部１３を捻る方向にモーメントが作用することになり、好ましくない。また、腕部１３の長さは、短いほどモーメントを小さくするとともにデザイン美観性は向上するが、その長さは、照明装置の配線ダクトヘの着説操作性を考慮して設定されている。
【００３７】
また、灯体１２Ｄの固定角度（すなわち、灯体１２Ｄと腕部１３とのなす角度）によって、腕部１３から連結軸１５に作用する回転力は、点灯装置２９の重心と連結軸１５の中心との距離Ｌ３に比例する。従って、点灯装置２９を連結軸１５の近くに配置して距離Ｌ３を小さくするのが望ましい。これにより、点灯装置２９の重量によって生じる取付け角度のぶれを小さくすることができる。
【００３８】
また、壁取付けの場合は、灯体１２Ｄの角度にかかわらずプラグ１８と腕部１３との間には軸線ＣＬ１回りの回転カが作用している。プラグ１８は回転支持部１９を介して腕部１３をその軸線ＣＬ１回りに回転可能に支持しているため、灯体１２Ｄは回転しようとする。このため、プラグ１８と腕部１３との間には飾りナット２８が設けられており、腕部１３とプラグ１８とを増し締めできるようにされていて、灯体１２Ｄの回転を防止して、締結の信頼性を向上させている。なお、飾りナット２８の外周面に滑り止めようのローレットを刻設するのが望ましい。
【００３９】
以上、説明した照明装置１０Ｄによれば、重量物である点灯装置２９が設けられる蛍光灯を光源に用いる場合でも、前述した各実施形態と同様の作用・効果を得ることができる。なお、前述した灯体１２Ｄでは、矩形のものを例示したが、形状はこれに限るものではない。
【００４０】
なお、本発明の照明装置は、前述した各実施形態に限定されるものでなく、適宜な変形，改良等が可能である。
例えば、前述した各実施形態においては、腕部１３を取付部である天井面等に設けられている配線ダクトに移動可能に取り付ける場合について説明したが、天井面等に回転可能に取り付けることもできる。
また、前述した各実施形態においては、照明装置１０を天井等から垂下して設けた場合について説明したが、壁や床に設けることも可能である。
また、灯体１２の断面形状や、腕部１３の断面形状を円形としたが、これに限らない。
【産業上の利用可能性】
【００４１】
以上のように、本発明に係る照明装置は、灯体を回動可能に支持する腕部の係合部が、灯体の内部において腕部の軸線から所定距離離れた側方に設けられているので、従来のように、灯体の側面に切欠きを設ける必要がなく、良好な外観性を得ることができるという効果を有し、任意の方向を照射することができる照明装置等として有用である。
【図面の簡単な説明】
【００４２】
【図１】（Ａ）は本発明の第１実施形態に係る照明装置を灯体を断面して示す側面図、（Ｂ）は同じく平面図
【図２】灯体と腕部との取付構造における連結部を示す平面図
【図３】灯体と腕部との取付構造における係合部を示す側面図
【図４】（Ａ）は本発明の第２実施形態に係る照明装置を灯体を断面して示す側面図、（Ｂ）は同じく平面図
【図５】（Ａ）は本発明の第３実施形態に係る照明装置を灯体を断面して示す側面図、（Ｂ）は同じく平面図
【図６】（Ａ）は本発明の第４実施形態に係る照明装置を灯体を断面して示す側面図、（Ｂ）は（Ａ）中矢印Ｂ方向からの連結部分の斜視図
【図７】（Ａ）〜（Ｅ）は照明装置の外観を示す正面図等
【図８】（Ａ）は灯体内部を示す正面図、（Ｂ）は同じく側面図
【図９】従来の照明装置を示す断面図
【符号の説明】
【００４３】
１０Ａ、１０Ｂ、１０Ｃ、１０Ｄ  照明装置
１１  ランプ（光源）
１２  灯体
１３  腕部
１４  連結板（連結部）
１５  連結軸
１６  取付板（係合部）
１８  プラグ（取付部）
２５  有壁凹部
２７  軸受け（連結部）
３１  スパイラル蛍光灯（光源）
ＣＬ１  腕部の軸線
ＣＬ２  灯体の軸線
【図１】
2008004529.tif 000003
【図２】
2008004529.tif 000004
【図３】
2008004529.tif 000005
【図４】
2008004529.tif 000006
【図５】
2008004529.tif 000007
【図６】
2008004529.tif 000008
【図７】
2008004529.tif 000009
【図８】
2008004529.tif 000010
【図９】
2008004529.tif 000011